(57)【要約】【課題】従来の予約システムでは、本来目的とする動作は完了しているにもかかわらず、開始時刻と終了時刻を設定しているために終了時刻まで継続して動作しているというスケジュール上の無駄時間が存在していた。【解決手段】ネットワーク６Ａを利用して１つ以上の複数機器２００、３００、４００の動作完了時刻を予約設定する機器予約手段１０２と、機器予約手段１０２で予約設定された機器が動作完了時刻から機器の動作状態および負荷状態から動作開始から完了までの稼働時間の変化を考慮し動作開始時刻を算出する算出手段２０３と、１つ以上の複数機器の算出手段２０３で算出した動作開始時刻を一括して予約設定者へ予約変更可能時刻として通知する予約変更可能時刻通知手段１０３とを備え、利用者が動作完了時刻を予約することで予約した機器の予約変更可能な時刻を知ることが可能な予約システム。【選択図】図１
2006221504.tif 000002
【特許請求の範囲】
【請求項１】
ネットワーク接続されている機器の運転予約設定が可能な予約システムであって、
前記ネットワークを利用して１つ以上の機器の動作完了時刻を予約設定する機器予約手段と、前記機器予約手段で予約設定された機器が前記動作完了時刻を基にして機器の動作状態および負荷状態から動作開始から完了までの稼働時間の変化を考慮し動作開始時刻を算出する算出手段と、前記算出手段で算出した１つ以上の複数機器の動作開始時刻を一括して予約設定者へ予約変更可能時刻として通知する予約変更可能時刻通知手段とを備え、
利用者が動作完了時刻を予約することで予約した機器の予約変更可能な時刻を知ることを可能とした予約システム。
【請求項２】
予約変更可能時刻通知手段に、予約変更可能時刻通知手段で通知する動作開始時刻からさらに一定時間前の時刻に変更する一定時間時刻修正手段を備えた請求項１記載の予約システム。
【請求項３】
機器予約手段で設定された動作完了時刻が既に経過している場合、および機器の動作状況に応じて決定する動作開始時刻が既に経過している場合に、設定エラーの警告を通知する警告通知手段と、即時動作開始の要求または予約時刻再設定の要求を通知する異常時処理選択手段とを備えた請求項１または２記載の予約システム。
【請求項４】
機器を空気清浄機能およびフィルタ掃除機能を搭載する空調機器とし、機器予約手段をフィルタ掃除および空気清浄の動作完了時刻を設定する空調予約手段とし、フィルタ掃除と空気清浄動作からハウスダスト量が一定以下に安定するまでの時間とを動作完了時間として動作開始時刻を算出する空気清浄算出手段とし、利用者が空調機器の空気清浄動作完了時刻を予約することで、空調機器の空気清浄予約時刻の変更が可能な時刻を知る請求項１〜３のいずれか１項記載の予約システム。
【請求項５】
機器を洗濯および脱水、乾燥機能を搭載する洗濯機とし、機器予約手段を洗濯および脱水または洗濯、脱水、乾燥までの動作完了時刻を設定する洗濯機予約手段とし、洗濯量や汚れ度合い、水量または温湿度に応じて変化する洗濯、脱水または洗濯、脱水、乾燥までの時間を動作完了時間として動作開始時刻を算出する洗濯算出手段とし、利用者が洗濯機の動作完了時刻を予約することで、洗濯機の洗濯完了予約時刻の変更が可能な時刻を知ることができる請求項１〜３のいずれか１項記載の予約システム。
【請求項６】
機器を炊飯および保温機能を搭載する炊飯器とし、機器予約手段をごはん炊き上げまでの動作完了時刻を設定する炊飯器予約手段とし、米量、水量または温湿度に応じて変化するごはん炊き上げまでの時間を動作完了時間として動作開始時刻を算出する炊飯算出手段とし、利用者が炊飯器の動作完了時刻を予約することで、炊飯器の炊き上げ完了予約時刻の変更が可能な時刻を知ることができる請求項１〜３のいずれか１項記載の予約システム。
【請求項７】
請求項１から３のいずれか１項に記載の予約システムの少なくとも一部をコンピュータに実行させるためのプログラム。
【発明の詳細な説明】
【技術分野】
【０００１】
本発明は、ネットワークを利用した機器の運転予約を宅外、宅内からおこなう予約システムおよびそのプログラムに関する。
【背景技術】
【０００２】
従来の予約システムとして、図４で示すような機器の予約運転システムがあった（例えば特許文献１）。
【０００３】
この特許文献１の例について図４を用いて説明する。図４において、家庭内ＬＡＮ１に無線で接続されている複数の機器の予約設定を行うシステムである。予約設定が行われる機器としては、キッチンに設置された給湯ポット２及び炊飯器３、リビングに設置されたエアコン４及び床暖房装置５、子供部屋に設置されたエアコン６及び床暖房装置７、浴室内で自動湯張り等が行われる給湯装置８とから構成する。
【０００４】
以下に、その動作について説明する。機器の予約は、パソコン９や携帯電話１０，１１及びＰＤＡ１２等を用いて行う。家庭内ＬＡＮ１は、ネットワーク１５を介して予約管理サーバ１６に接続される。予約管理サーバ１６は、各機器の利用者が割り当てられている場合、その利用者のスケジュールを基礎として自動的に機器の予約運転を行う。各機器に担当者が割り当てられていない場合は、起床又は帰宅については各利用者のスケジュールのうち一番早いスケジュールを優先し、外出又は就寝については各利用者のスケジュールのうち一番遅いスケジュールを優先して自動的に予約運転を行う。
【特許文献１】特開２００４−３０４３５４号公報
【発明の開示】
【発明が解決しようとする課題】
【０００５】
しかしながら、上述した機器の予約運転システムでは、利用者のスケジュールに準じて予約がおこなわれ、そのスケジュールに合わせて機器の動作が開始されており、機器の動作完了を前提にしたスケジュール設定ができない。そのうえ、機器の負荷状況が把握する手段が無く、稼働時間が確定できないために動作完了時刻を特定できない。従って機器の動作開始時刻の設定を前提としている。
【０００６】
したがって、機器の開始時刻を前提にどれだけ動作させるかを設定するために、本来機器が動作完了に至るかどうかが不確実であり、さらに動作完了しているが余分な動作時間として組み込まれているというようなスケジュール上の無駄時間が存在していた。
【０００７】
また、予約設定が電源印加時間または稼働時間を設定するのみで、機器の負荷状況によって完了までの時間が変化するような場合があっても、関係なく電源が印加されており、例えば帰宅と合わせて完了させる、または帰宅にあわせて快適な状況をつくるというような事はできない。
【０００８】
さらに、予約を変更したい場合でも稼働時間の設定をおこない、完了時間に合わせてスタート時間を決めていないために変更した場合に帰宅時に完了しているかどうか保証できない。
【０００９】
本発明は、前記従来の課題を解決するもので、機器の動作状態および負荷状態から動作開始から完了までの稼働時間の変化を考慮して動作開始時刻を算出する算出手段を備えることで、予約完了時刻を設定することで開始時刻を正確に把握することができ、万が一、利用者が予約変更したい場合でも変更可能な時刻を予約設定者へ通知することで、正確に動作完了でき利便性の高い予約システムを提供することを目的とする。
【課題を解決するための手段】
【００１０】
上記課題を解決するために、本発明においては、ネットワーク接続されている機器の運転予約設定が可能な予約システムであって、前記ネットワークを利用して１つ以上の機器の動作完了時刻を予約設定する機器予約手段と、前記機器予約手段で予約設定された機器が前記動作完了時刻を基にして機器の動作状態および負荷状態から動作開始から完了までの稼働時間の変化を考慮し動作開始時刻を算出する算出手段と、前記算出手段で算出した１つ以上の複数機器の動作開始時刻を一括して予約設定者へ予約変更可能時刻として通知する予約変更可能時刻通知手段とを備えた構成とした。
【００１１】
これによって、予約変更をする場合でもいつまでに変更をおこなえば良いか正確に把握することができ、利用者が機器の動作完了時刻に合わせて行動をおこなうことができ、快適で利便性を高めることができる。
【発明の効果】
【００１２】
以上で説明したように、本発明によれば、機器の動作状態および負荷状態から動作開始から完了までの稼働時間の変化を考慮し動作開始時刻を算出する算出手段を設け、ネットワークを利用して機器の動作完了時刻を予約設定することで、予約変更の可能時刻を正確に利用者に通知することができるとともに、利用者が日常の仕事などの行動をする上で、時間の有効利用を図ることができる。
【発明を実施するための最良の形態】
【００１３】
第１の発明は、ネットワーク接続されている機器の運転予約設定が可能な予約システムであって、前記ネットワークを利用して１つ以上の機器の動作完了時刻を予約設定する機器予約手段と、前記機器予約手段で予約設定された機器が前記動作完了時刻を基にして機器の動作状態および負荷状態から動作開始から完了までの稼働時間の変化を考慮し動作開始時刻を算出する算出手段と、前記算出手段で算出した１つ以上の複数機器の動作開始時刻を一括して予約設定者へ予約変更可能時刻として通知する予約変更可能時刻通知手段とを備えることにより、設定された動作完了時刻から機器の動作状況および負荷状況から動作開始から完了までの稼働時間を算出手段で算出し、算出した動作開始時刻を予約設定者へ予約変更の可能な時刻を通知する。
【００１４】
以上によって、確実に予約変更がいつまで可能かを予約設定者に通知することとなり、予約設定者の予定が変更した場合にでも容易で、正確に予約の変更を可能にすることができる。また、予約設定者が複数機器の予約変更を一括して変更し、通知することとなり、予約変更設定の操作性を向上するとともに複数機器の予約変更可能時刻を一括して確認することができる。その上、一括してデータを送信することで通信頻度を抑制し、通信時間の短縮をはかり、通信のトラフィックを抑制し、より多くの機器の通信応答を可能にすることができるという利便性、経済性に優れている。
【００１５】
第２の発明は、特に、第１の発明の予約システムにおいて、予約変更可能時刻通知手段に、予約変更可能時刻通知手段で通知する動作開始時刻からさらに一定時間前の時刻に変更する一定時間時刻修正手段を備えることにより、算出手段で算出した動作開始時刻より一定時間前の時刻を予約変更可能時刻として予約設定者に通知することで、利用するネットワークの遅延時間による差異等を吸収することとなり、予約設定や変更時の機器動作開始の遅れや設定エラーを防止することができる。また、例え利用するネットワークの遅延時間が発生しない場合でも一定時間経過後に機器が動作することで完了時間を正確に維持することができる。
【００１６】
第３の発明は、特に、第１または第２の発明のいずれか１つの発明の予約システムにおいて、機器予約手段で設定された動作完了時刻が既に経過している場合および機器の動作状況に応じて決定する動作開始時刻が既に経過している場合に、設定エラーの警告を通知する警告通知手段と、即時動作開始の要求または予約時刻再設定の要求を通知する異常時処理選択手段とを備えることにより、予約変更時に設定した動作完了時刻から算出した動作開始時刻が既に経過している場合に、即座に予約設定者へ設定エラーを通知し、即時動作開始または再予約設定を要求することとなり、予約者が動作完了時刻を設定するために動作開始時刻が経過していることを知らずに誤って設定することを防止することができるとともにその場合に処置方法の要求もおこなうことで予約設定者の操作性を向上することができる。
【００１７】
第４の発明は、特に、第１から第３の発明のいずれか１つの発明の予約システムにおいて、機器を空気清浄機能およびフィルタ掃除機能を搭載する空調機器とし、機器予約手段をフィルタ掃除および空気清浄の動作完了時刻を設定する空調予約手段とすることにより、空気清浄算出手段でフィルタ掃除時間と空気清浄動作からハウスダスト量が一定以下に安定するまでの時間を動作完了時間として動作開始時刻を算出することとなり、空調機器で空気清浄をおこない、予約設定者が帰宅する時間に最も空気の汚れが少なくなった状況を提供することができ、ハウスダストや花粉症対策をおこなうことができる。また、予約設定者が自分の行動時刻に合わせて空気清浄を完了するための予約変更可能時刻を正確に把握することができる。
【００１８】
第５の発明は、特に、第１から第３の発明のいずれか１つの発明の予約システムにおいて、機器を洗濯および脱水、乾燥機能を搭載する洗濯機とし、機器予約手段を洗濯および脱水または洗濯、脱水、乾燥までの動作完了時刻を設定する洗濯機予約手段とすることにより、洗濯算出手段で洗濯物や汚れ度合い、水量または温湿度に応じて変化する洗濯、脱水または洗濯、脱水、乾燥までの時間を動作完了時間として動作開始時刻を算出することとなり、予約設定者が自分の行動時刻に合わせて洗濯、脱水、乾燥を完了するための予約変更可能時刻を正確に把握することができる。
【００１９】
第６の発明は、特に、第１〜３の発明のいずれか１つの発明の予約システムにおいて、機器を炊飯および保温機能を搭載する炊飯器とし、機器予約手段をごはん炊き上げまでの動作完了時刻を設定する炊飯器予約手段とすることにより、炊飯算出手段で米量、水量または温湿度に応じて変化するごはん炊き上げまでの時間を動作完了時間として動作開始時刻を算出することとなり、予約設定者が自分の行動時刻に合わせて炊飯器の炊き上げを完了するための予約変更可能時刻を正確に把握することができる。
【００２０】
第７の発明は、特に、第１〜３の発明のいずれか１つの発明の予約システムの少なくとも一部をコンピュータに実行させるためのプログラムである。そして、プログラムであるので、電気・情報機器、コンピュータ、サーバー等のハードリソースを協働させて本発明の予約システムの少なくとも一部を容易に実現することができる。また記録媒体に記録したり通信回線を用いてプログラムを配信したりすることでプログラムの配布・更新やそのインストール作業が簡単にできる。
【００２１】
以下本発明の実施の形態について、図面を参照しながら説明する。なお、この実施の形態によって本発明が限定されるものではない。
【００２２】
（実施の形態１）
図１および図２は、本発明の実施の形態１の予約システムの構成図を示すものである。
【００２３】
図１は、予約システムの構成を示すもので、図２は予約システムのフローチャートを示すものである。
【００２４】
図１において、家庭内の通信ネットワークに接続されている機器（洗濯機）２００の動作完了時刻の予約設定を宅外の携帯電話５Ａやパソコン４Ａからおこなうシステムである。システムの構成としては、予約をおこなう機器として洗濯機２００、エアコン３００、炊飯器４００、宅外と宅内の通信を接続し、動作完了時刻の予約設定の制御をおこなう通信制御装置１００、宅外のネットワークとしてインターネット網２Ａを介してユーザーが予約をおこなう携帯電話５Ａおよびパソコン４Ａおよび通信制御装置１００と通信をおこなうセンター装置３Ａからなる。
【００２５】
通信制御装置１００の構成としては、通信制御装置１００の制御をおこなう制御部１０１、機器の予約をおこなう機器予約手段１０２、宅外の利用者にメール等で予約変更可能な時刻を通知する予約変更可能時刻通知手段１０３、その予約変更可能時刻を一定時刻前の時刻に修正する一定時間時刻修正手段１０３１、利用者が予約設定を携帯電話５Ａまたはパソコン４Ａでおこなった場合に予約時刻が既に過ぎていた場合などの異常時にエラーを通知する警告通知手段１０６、そのエラー状態発生時に警告通知手段１０６で通知すると同時に異常時の処理を選択要求する異常時処理選択手段１０６１、家庭内の機器２００との通信をおこなう機器通信部１０４、インターネット網２Ａを利用して携帯電話５Ａ、パソコン４Ａ、センター装置３Ａと通信をおこなう外部通信部１０５とから構成される。
【００２６】
家庭内に設置され予約設定する機器（洗濯機）２００の構成は、機器２００の動作、制御をおこなう機器制御部２０１、通信制御装置１００と家庭内ネットワーク６Ａを介して通信する機器通信部２０２、機器の基本動作をおこなう負荷動作部２０５、負荷動作部２０５に加わっている負荷状態を把握する負荷状態把握部２０４、その負荷状態把握部２０４から機器２００が動作を開始してから完了するまでの時間を算出し予約設定された動作完了時刻から動作開始時刻を算出する算出手段２０３とから構成される。
【００２７】
機器（エアコン）３００、機器（炊飯器）４００は、機器の基本機能は異なるが予約設定をおこなうための構成部は、機器（洗濯機）２００と同様である。
【００２８】
ここでインターネット網２Ａを宅外のネットワークとしたが、公衆回線網を利用してもよい。
【００２９】
次に、このような構成の予約システムの動作、作用について説明する。
【００３０】
図１に示すように、予約システムの携帯電話５Ａによって機器２００の洗濯機の洗濯、脱水までの動作を予約して運転をおこなう。例えば現在時刻が１０時００分とした場合、帰宅時間の１８時００分に合わせて洗濯、脱水がちょうど終了するように動作完了時刻１８時００分を予約設定値として携帯電話５Ａからインターネット網２Ａを介して宅内１Ａの通信制御装置１００に指令を送信する。
【００３１】
その送信指令は、外部通信部１０５で受信し、制御部１０１でデータを解析し、機器予約手段１０２（フローチャートＳ２で洗濯機へ分岐し、フローチャートＳ５ａで洗濯、脱水指令および動作完了時刻１８時００分を予約条件として判別する。その予約条件を機器通信部１０４から送信し、予約する機器（洗濯機）２００の機器通信部２０２で受信する。
【００３２】
機器通信部２０２で受信した洗濯、脱水指令を機器制御部２０１から負荷動作部２０５に加わっている洗濯物量による負荷状態を負荷状態把握部２０４で把握し、その負荷状態から算出手段２０３（フローチャートＳ６ａ）では、負荷動作部２０５に加わっている負荷を動作開始から完了するまでの動作時間を洗濯物量と水流量等から算出し、その算出した動作時間と機器予約手段１０２で設定された動作完了時刻とから動作開始時刻を算出する。
【００３３】
例えば、算出手段で負荷動作時間が３０分となった場合に、動作完了予約時刻が１８時００分であるため、動作開始時刻を１７時３０分と算出手段２０３は算出する。
【００３４】
算出手段２０３で算出された動作開始時刻１７時３０分を機器通信部２０２から送信し、家庭内ネットワークを介して通信制御装置１００の機器通信部１０４で受信する。受信データを制御部１０１で解析し、予約変更可能時刻通知手段１０３（フローチャートＳ７）で予約設定者の携帯電話５Ａに予約変更可能な時刻１７時３０分を通知する。
【００３５】
その通知方法は、Ｅメール、音声による電話通知またはＷｅｂ画面上で予約変更可能時刻の確認をおこなえるように通信制御装置１００がＷｅｂ画面を保持するセンター装置３Ａなどに通知する方法、または通信制御装置１００がＷｅｂサーバー機能として表示する方法等でもよい。
【００３６】
また、電子メール等のインターネット網で電子メール通知の遅れや予約設定時の宅外通信の遅延などが発生する可能性があるため、通信制御装置１００内の制御部１０１で定期的にセンター装置３Ａから時刻同期により時刻情報を設定することで制御部１０１で時間管理をおこない、ネットワーク上の遅延が発生した場合には、一定時間時刻修正手段１０３１で算出手段２０３で算出された動作開始時刻を一定時刻前に修正し、携帯電話５Ａ等へ通知する。
【００３７】
例えば、電子メールの遅延が５分とした場合に、通信制御装置１００の内部で保持している時刻情報から一定時間時刻修正手段１０３１で５分時刻を修正し、予約変更可能時刻を１７時２５分として携帯電話５Ａに通知する。この場合に、携帯電話５Ａは１７時２５分として通知するものの実際に機器（洗濯機）２００が動作開始をおこなうのは、算出手段２０３で算出された１７時３０分からおこなうため、動作完了時刻がずれることは無い。従って、一定時間時刻修正手段１０３１（フローチャートＳ８）で５分修正時、実際に全く遅延が発生しない場合でも動作完了時刻は１８時００分となり、予約設定者が予約した時刻を守ることができる。
【００３８】
また、携帯電話５Ａからの動作完了時刻１８時００分として１７時２５分以降に操作をおこなった場合に、動作開始時刻を過ぎているため有効でない旨の警告を警告通知手段１０６（フローチャートＳ９）からおこない、さらに異常時処理選択手段１０６１（フローチャートＳ１０）で異常時の処理方法として即時動作開始要求または動作完了時刻の変更要求を通知する。
【００３９】
異常時の処理方法としては、下記の２通りの操作方法がある。
【００４０】
即時動作開始要求を通知する場合は、予約変更可能時刻を経過してからの操作をおこなおうとした場合に、すでに機器（洗濯機）２００が動作を開始しているため、予約変更が無効となる。従って、動作完了の予約時刻を後ろに遅らせる場合には、動作開始している機器（洗濯機）２００の即時停止をおこなってから予約変更する必要があるため、即時動作開始要求として機器（洗濯機）２００の停止動作を要求する通知をおこなう。その通知を受信した利用者が機器（洗濯機）２００の停止をおこなう。また、停止せずにそのまま動作する場合は、前記即時動作開始要求の通知に対して、利用者が即時動作開始をおこなわない。
【００４１】
また、動作完了時刻の変更要求を通知する場合は、変更の設定時間が不正であるため、再度時刻変更の必要性を通知する。そのことにより利用者が完了時刻設定をおこなうことで、通信制御装置１００は、機器（洗濯機）２００に対して動作停止と予約の変更を同時におこなう。
【００４２】
なお、ここでセンター装置３ＡのＷｅｂ画面上に表示する場合や通信制御装置１００のＷｅｂサーバー機能による表示をおこなう場合には、Ｗｅｂ画面操作時に、表示をおこなう方法で異常処理における通知を表示するようにしても可能である。
【００４３】
また、家庭内ネットワーク６Ａを介して機器予約手段１０２から機器（洗濯機）２００だけでなく機器（エアコン）３００の空気清浄およびフィルタ掃除の動作完了時刻、機器（炊飯器）４００の炊き上げ動作完了時刻を同時に一括予約し、予約変更可能時刻通知手段１０３（フローチャートＳ７）で機器（洗濯機）２００および機器（エアコン）３００、機器（炊飯器）４００の予約変更可能時刻を一括管理し、携帯電話５Ａに通知する。
【００４４】
また、エアコン３００の負荷動作部２０５は当然ながら空気清浄動作およびエアコン機能動作部であり、負荷状態把握部２０４は空気の汚れを把握するものであり、算出手段２０３は空気が清浄されるまでの時間を算出するものである。
【００４５】
また、炊飯器４００の負荷動作部２０５は炊飯（炊き上げ）動作をおこなう動作部であり、負荷状態把握部２０４は米量、水量、水温等を把握するものであり、算出手段２０３は負荷状態把握部２０４の状態から炊き上げまでの時間を算出するものである。
【００４６】
なお、携帯電話５Ａから予約設定し、通知を受信するとしたが、パソコン４Ａであっても同様である。また、予約設定は、携帯電話５Ａからおこなう場合にセンター装置３Ａを介して通信制御装置１００へおこなうことであっても同様である。
【００４７】
なお、ここでは、算出手段２０３を機器２００側に搭載したが、動作開始から動作完了までの時間を機器側で算出した後、その算出時間を基に予約変更可能時刻である動作開始時刻を通信制御装置１００側でおこなうようにしても機能、動作、効果はおなじである。
【００４８】
なお、ここでは、複数機器を３台として説明するが、1台以上の複数台であっても同じである。
【００４９】
以上のように、本実施の形態においては、機器予約手段１０２で機器の動作完了時刻を予約し、算出手段２０３で機器の動作時間、動作完了時刻を算出することで予約設定者が予約の変更をおこなう場合に、いつまでに設定変更をおこなうことができるかを容易に把握でき、確実に予約した時刻に機器の動作を完了させることが実現でき、予約設定者の操作性、利便性を向上することができる。
【００５０】
また、一定時間時刻修正手段１０３１で予約変更可能時刻を修正することで、宅外のネットワーク２Ａの通信遅延が発生した場合でも動作完了時刻の予約を確実に実施することができる。あるいはまた、一定時刻修正した場合に例え通信の遅延が無かったとしても、動作開始時刻から動作がスタートされるため動作完了時刻が早まることが無く、利便性が高い。
【００５１】
また、警告通知手段１０６と異常時処理選択手段１０６１で予約に誤り、時間まちがい、異常があった場合に警告を通知および異常時の処理として即時動作開始要求または動作完了時刻変更要求を通知することで、予約設定者が予約を誤ったことを容易に確認するとともに誤った状態で機器を動作させることが無い安全性、利便性が高い。
【００５２】
（実施の形態２）
図３は本発明の実施の形態２の予約システムの構成図を示すものである。図３において、家庭内の通信ネットワークに接続されている機器（洗濯機）の動作完了時刻の予約設定を宅外の携帯電話やパソコンからおこなうシステムである。
【００５３】
システムの構成としては、予約をおこなう機器として洗濯機２００Ｂ、エアコン３００Ｂ、炊飯器４００Ｂ、宅外と宅内の通信を接続し、動作完了時刻の予約設定の制御をおこなう通信制御部１００Ｂで構成している。また、その他の構成は実施の形態１と同じなので説明は省略する。
【００５４】
通信制御部１００Ｂは、機器（洗濯機）２００Ｂ内に搭載し、家庭内のネットワーク６Ｂは、ＬＡＮにより各機器が接続され、宅外のネットワーク２Ａに接続される。なお、家庭内ネットワーク６Ｂと宅外ネットワーク２Ａの接続は、光通信ネットワーク、ＡＤＳＬモデムおよびルータ経由により接続されるものとする。
【００５５】
機器（洗濯機）２００Ｂの構成は、実施の形態１の通信制御装置１００を通信制御部１００Ｂとして機器（洗濯機）２００Ｂ内部に搭載し、機器予約手段１０２を洗濯機の動作完了時刻予約専用とした洗濯予約手段１０２Ｂとし、機器（洗濯機）２００Ｂの洗濯動作開始から動作完了までの動作時間と予約動作完了時刻から動作開始時刻を算出する洗濯算出手段２０６Ｂとから構成する。また、その他の構成は実施の形態１と同じなので説明は省略する。
【００５６】
また、機器（エアコン）３００Ｂの構成は、実施の形態１の通信制御装置１００を通信制御部として機器（エアコン）３００Ｂ内部に搭載し、機器予約手段１０２をエアコンの空気清浄およびフィルタ掃除動作完了時刻予約専用としたエアコン予約手段１０２Ｃとし、機器（エアコン）３００Ｂの空気清浄動作開始から空気清浄完了およびフィルタ掃除動作完了までの動作時間と予約動作完了時刻から動作開始時刻を算出するエアコン算出手段２０６Ｃとから構成する。また、その他の構成は実施の形態１と同じなので説明は省略する。
【００５７】
また、機器（炊飯）４００Ｂの構成は、実施の形態１の通信制御装置１００を通信制御部１００Ｂとして機器（炊飯）４００Ｂ内部に搭載し、機器予約手段１０２を炊飯器の炊き上げ動作完了時刻予約専用とした炊飯機予約手段１０２Ｄとし、機器（炊飯器）４００Ｂの炊飯動作開始から炊き上げ完了までの動作時間と予約動作完了時刻から動作開始時刻を算出する炊飯算出手段２０６Ｄとから構成する。また、その他の構成は実施の形態１と同じなので説明は省略する。
【００５８】
次に、このような構成の予約システムの動作、作用について説明する。
【００５９】
予約システムの動作は、携帯電話５Ａから動作完了予約時刻を設定する際に、インターネット網２Ａを介して家庭内のネットワークＬＡＮ６Ｂを中継して機器（洗濯機）２００Ｂへ指令を送り、機器（洗濯機）２００Ｂ内部の外部通信部１０５で受信し、制御部１０１でデータを解析し、洗濯機予約手段１０２Ｂで洗濯、脱水指令および動作完了時刻を予約条件として判別する。通信制御部１００Ｂと機器通信手段２０２間は内部の配線により通信をおこなう。
【００６０】
負荷動作部２０５に加わっている洗濯物量による負荷状態を負荷状態把握部２０４で把握し、その負荷状態から洗濯算出手段２０６Ｂでは、負荷動作部２０５に加わっている負荷を動作開始から完了するまでの動作時間を洗濯物量と水流量等から算出し、その算出した動作時間と洗濯機予約手段１０２Ｂで設定された動作完了時刻とから動作開始時刻を算出する。
【００６１】
また、機器（エアコン）３００Ｂは、エアコン予約手段１０２Ｃでエアコンの空気清浄動作の完了時刻を予約条件として判別し、エアコン算出手段２０６Ｃで空気が清浄されるまでの時間を算出する。
【００６２】
また、機器（炊飯器）４００Ｂは、炊飯器予約手段１０２Ｄで炊飯器の炊き上げ完了時刻を予約条件として判別し、炊飯算出手段２０６Ｄで米量、水量、水温等から炊き上げまでの時間を算出するものである。
【００６３】
その他の動作、作用に付いては実施の形態１と同じなので説明は省略をする。
【００６４】
なお、ここでは家庭内ネットワーク６ＢをＬＡＮとしたが、無線ＬＡＮにすることであってもよい。
【００６５】
また、通信制御部１００Ｂをそれぞれの機器２００Ｂ、３００Ｂ、４００Ｂに内蔵することでＬＡＮ接続可能な家庭内に容易に設置することができ、ＩＰｖ６等のグローバルＩＰを設けることで容易に宅外から直接機器の制御を実現することができる。
【００６６】
なお、本実施の形態では空調機器としてエアコンを例にして説明したが、これに限らず空気清浄機能を有する空調機器であればよい。また、本実施の形態において、機器を洗濯機、エアコン、炊飯器で説明したがこれに限るものでなく、予約運転するような機器であればよい。
【産業上の利用可能性】
【００６７】
以上のように、本発明にかかる予約システムおよびそのプログラムは、家庭のＡＤＳＬモデムなどの常時接続通信ネットワークに接続される通信制御機器を利用して家電機器の動作完了時刻の予約をおこなうもので、家電機器の負荷状態を把握することで、稼動時間を算出し予約された完了時刻から動作開始時刻を算出し、利用者に予約の変更可能な時刻を通知することとなり、利用者が急な用事で予約の変更を余儀なくされる場合に何時までに変更をおこなえば良いかを明確にし、利用者の利便性を向上する。これは一般家庭の家電機器の予約システム以外に、ビル、工場等のＯＡ機器、空調、照明機器等の用途にも適用できる。
【図面の簡単な説明】
【００６８】
【図１】本発明の実施の形態１の予約システムの構成図
【図２】本発明の実施の形態１の予約システムのフローチャート
【図３】本発明の実施の形態２の予約システムの構成図
【図４】従来の実施例における構成図
【符号の説明】
【００６９】
２Ａ  インターネット網（ネットワーク）
６Ａ、６Ｂ  家庭内ネットワーク（ネットワーク）
１０２、Ｓ５  機器予約手段
１０２Ｂ  洗濯機予約手段
１０２Ｃ  エアコン予約手段（空調予約手段）
１０２Ｄ  炊飯器予約手段
１０３、Ｓ７  予約変更可能時刻通知手段
１０３１、Ｓ８  一定時間時刻修正手段
１０６、Ｓ９  警告通知手段
１０６１、Ｓ１０  異常時処理選択手段
２０３、Ｓ６  算出手段
２０６Ｂ  洗濯算出手段
２０６Ｃ  エアコン算出手段（空気清浄算出手段）
２０６Ｄ  炊飯算出手段
【図１】
2006221504.tif 000003
【図２】
2006221504.tif 000004
【図３】
2006221504.tif 000005
【図４】
2006221504.tif 000006